(57)【要約】【課題】隣室に居る者への透過音の聞こえ方を報知する。【解決手段】報知装置１０は、マイクロホン２０Ａ，２０Ｂにより部屋ＲＡ，ＲＢにおける暗騒音の音圧レベルを求める。また、報知装置１０Ａは、部屋ＲＡから部屋ＲＢへ透過した透過音の音圧レベルを求める。報知装置１０は、部屋ＲＡから部屋ＲＢへの透過音の音圧レベルが部屋ＲＢの暗騒音の音圧レベルより小さい場合には、青色の表示灯３１Ａを点灯させ、透過音の音圧レベルが部屋ＲＢの暗騒音の音圧レベル＋６［ｄＢ］以上である場合には、赤色の表示灯３３Ａを点灯させ、隣室における透過音の聞こえ方を報知する。【選択図】図１
2008122852.tif 000002
【特許請求の範囲】
【請求項１】
第１部屋内における音を収音し、収音した音を表す第１オーディオ信号を出力する第１収音手段と、
第２部屋内における音を収音し、収音した音を表す第２オーディオ信号を出力する第２収音手段と、
前記第１オーディオ信号に基づいて前記第１部屋の音の第１音圧を求め、前記第２オーディオ信号に基づいて前記第２部屋の音の第２音圧を求める音圧解析手段と、
前記第１音圧と、前記第１部屋と前記第２部屋との間の遮音性能に関する遮音情報とに基づいて、前記第１オーディオ信号で表される音の前記第２部屋への透過後の第３音圧を求める透過音解析手段と、
所定の判断基準に基づいて前記第２音圧と前記第３音圧との関係を判断する判断手段と、
前記判断手段の判断結果を報知する報知手段と
を有する報知装置。
【請求項２】
前記第１部屋または前記第２部屋に配置された操作子と、
前記操作子にされた操作に応じて前記遮音情報の内容または前記判断基準を変更する情報変更手段と
を有する請求項１に記載の報知装置。
【請求項３】
前記判断手段の判断結果に応じてマスキング音信号を出力するマスキング音信号出力手段と、
前記第２部屋に配置され、前記マスキング音信号出力手段から出力されたマスキング音信号に応じてマスキング音を出力する音出力手段と、
を有する請求項１に記載の報知装置。
【請求項４】
前記マスキング音信号出力手段は、前記判断手段の判断結果に応じて前記マスキング音の音圧を変化させること
を特徴とする請求項３に記載の報知装置。
【発明の詳細な説明】
【技術分野】
【０００１】
本発明は、部屋から部屋への音の漏れを報知する技術に関する。
【背景技術】
【０００２】
壁や床を隔てて複数の部屋が隣接する会議室や集合住宅等においては、部屋内の音が大きいと、壁を透過した音により、隣室に居る者に不快感を与える場合がある。そこで、隣室の者に不快感を与えるのを防ぐ装置として、特許文献１に開示されている装置が考案されている。特許文献１に開示されている装置は、部屋内に設けられている音圧センサで部屋内の音の音圧を測定し、壁の遮音性能に基づいて、隣室に透過した透過音のレベルを算出する。そして、算出したレベルが所定のレベルを上回っている場合には、警報装置から警報を発することにより、隣室に音が漏れていることを注意する。
【０００３】
【特許文献１】特開平８−２３３６４８号公報
【発明の開示】
【発明が解決しようとする課題】
【０００４】
ところで、隣室へ透過した透過音は、隣室における空調設備の音や電気機器が発する音などの暗騒音のレベルによっては、隣室において聞こえたり聞こえにくくなったりする。具体的には、隣室における暗騒音のレベルが透過音のレベルより大きい場合には、隣室に居る者においてはレベルの大きい暗騒音によって透過音が聞こえにくくなるため、透過音は気にならず、隣室からの音を不快に感じることがない。一方、隣室における暗騒音のレベルが透過音のレベルより小さい場合には、透過音のレベルが同じであっても、隣室に居る者においてはレベルの大きい透過音が聞こえてしまい、隣室からの音を不快に感じることとなる。
このように、隣室の者が透過音を不快に感じるか否かは、透過音のレベルだけではなく、隣室における暗騒音のレベルによっても左右される。しかしながら、従来の技術では、透過音のレベルによって警報がでてしまうため、隣室の暗騒音のレベルが大きいことにより透過音が隣室に居る者に聞こえておらず、隣室に居る者が不快感を感じていなくても警報が発せられてしまう。また、警報が発せられていなくても隣室の暗騒音のレベルが小さいことにより透過音が隣室に居る者に聞こえてしまい、隣室に居る者が不快感を感じる虞がある。
【０００５】
本発明は、上述した背景の下になされたものであり、隣室に居る者への透過音の聞こえ方を報知する技術を提供することを目的とする。
【課題を解決するための手段】
【０００６】
上述した課題を解決するために本発明は、第１部屋内における音を収音し、収音した音を表す第１オーディオ信号を出力する第１収音手段と、第２部屋内における音を収音し、収音した音を表す第２オーディオ信号を出力する第２収音手段と、前記第１オーディオ信号に基づいて前記第１部屋の音の第１音圧を求め、前記第２オーディオ信号に基づいて前記第２部屋の音の第２音圧を求める音圧解析手段と、前記第１音圧と、前記第１部屋と前記第２部屋との間の遮音性能に関する遮音情報とに基づいて、前記第１オーディオ信号で表される音の前記第２部屋への透過後の第３音圧を求める透過音解析手段と、所定の判断基準に基づいて前記第２音圧と前記第３音圧との関係を判断する判断手段と、前記判断手段の判断結果を報知する報知手段とを有する報知装置を提供する。
【０００７】
この報知装置は、前記第１部屋または前記第２部屋に配置された操作子と、前記操作子にされた操作に応じて前記遮音情報の内容または前記判断基準を変更する情報変更手段とを備えるようにしてもよい。
また、この報知装置は、前記判断手段の判断結果に応じてマスキング音信号を出力するマスキング音信号出力手段と、前記第２部屋に配置され、前記マスキング音信号出力手段から出力されたマスキング音信号に応じてマスキング音を出力する音出力手段とを備えるようにしてもよい。
また、この報知装置においては、前記マスキング音信号出力手段は、前記判断手段の判断結果に応じて前記マスキング音の音圧を変化させてもよい。
【発明の効果】
【０００８】
本発明によれば、隣室に居る者への透過音の聞こえ方を報知することができる。
【発明を実施するための最良の形態】
【０００９】
［実施形態の構成］
まず、本発明の一実施形態に係る報知システム１の構成について説明する。図１は、同報知システム１の全体構成と、報知システム１が配置された部屋を模式的に示した図である。同図において、部屋ＲＡと部屋ＲＢは所定の遮音性能を備えた界壁Ｃにより仕切られている。報知システム１は、報知装置１０、報知装置１０に接続されたマイクロホン２０Ａ，２０Ｂ、報知装置１０に接続された表示装置３０Ａ，３０Ｂを有しており、マイクロホン２０Ａ，２０Ｂにより部屋ＲＡおよび部屋ＲＢの音を収音し、部屋内で発生して界壁Ｃを透過した透過音が、隣室に居る者にどのように聞こえるか報知するシステムである。
【００１０】
マイクロホン２０Ａは、部屋ＲＡに設置されており、部屋ＲＡ内の音を収音し、収音した音を表すオーディオ信号を報知装置１０へ出力する。また、マイクロホン２０Ｂは、部屋ＲＢに設置されており、部屋ＲＢ内の音を収音し、収音した音を表すオーディオ信号を報知装置１０へ出力する。
【００１１】
表示装置３０Ａは、部屋ＲＡに設置されており、部屋ＲＡ内から界壁Ｃを透過して部屋ＲＢに達した透過音が、部屋ＲＢにおいてどのように聞こえるか知らせるための装置である。また、表示装置３０Ｂは、部屋ＲＢに設置されており、部屋ＲＢ内から界壁Ｃを透過して部屋ＲＡに達した透過音が、部屋ＲＡにおいてどのように聞こえるか知らせるための装置である。図１に示したように、表示装置３０Ａは、青色の表示灯３１Ａ、黄色の表示灯３２Ａ、赤の表示灯３３Ａを有しており、表示装置３０Ｂは、青色の表示灯３１Ｂ、黄色の表示灯３２Ｂ、赤の表示灯３３Ｂを有している。表示装置３０Ａ，３０Ｂは、備えている表示灯を報知装置１０から供給される信号に従って点灯させる。
【００１２】
次に報知装置１０の構成について説明する。図２は、報知装置１０のハードウェア構成を示したブロック図である。報知装置１０は、電源（図示略）を備えており、報知装置１０の各部は、この電源から供給される電力により動作する。また、報知装置１０の各部は、同図に示したようにバス１０１に接続されており、バス１０１を介して各部間で各種信号やデータの授受を行う。
【００１３】
信号入力部１０６は、マイクロホン２０Ａ，２０Ｂに接続されており、マイクロホン２０Ａ，２０Ｂから出力されたオーディオ信号が入力される。信号入力部１０６は、入力されたオーディオ信号を解析してオーディオ信号が表す音の音圧レベルを求め、求めた音圧レベルを示す音圧データをＣＰＵ（Central Processing Unit）１０２へ供給する。
信号出力部１０７は、表示装置３０Ａ，３０Ｂに接続されており、ＣＰＵ１０２の制御の下、表示装置３０Ａ，３０Ｂが備える表示灯を点灯させるための信号を表示装置３０Ａ，３０Ｂへ出力する。
【００１４】
記憶部１０５は、各種データを記憶する不揮発性メモリを備えている。この記憶部１０５には、音が界壁Ｃを透過した時に界壁Ｃの透過前と透過後で、音の音圧レベルがどの程度低下するのかを表す遮音性能データを記憶している。具体的には、遮音性能データ（遮音情報）として、界壁Ｃの遮音性能を表す遮音等級（ＪＩＳ１４１９−１  建築物及び建築部材の遮音性能の評価方法  第１部：空気音遮断性能）、いわゆるＤ等級の値（以下、Ｄ値と称する）を記憶している。例えば、界壁ＣのＤ値の値が「ａ」である場合、界壁Ｃを音が透過すると、透過した音の５００［Ｈｚ］の音圧レベルがａ［ｄＢ］低下する。
【００１５】
ＲＯＭ（Read Only Memory）１０３は、ＣＰＵ１０２により実行される制御プログラムを記憶している。ＣＰＵ１０２は、ＲＯＭ１０３に記憶されている制御プログラムを読み出し、ＲＡＭ（Random Access Memory）１０４を作業エリアにして制御プログラムを実行する。ＣＰＵ１０２により制御プログラムが実行されると、ＣＰＵ１０２により報知装置１０の各部が制御される。そして、制御プログラムが実行された報知装置１０においては、マイクロホン２０Ａ，２０Ｂにより部屋ＲＡおよび部屋ＲＢの音を収音し、部屋内で発生して界壁Ｃを透過した音が、隣室に居る者にどのように聞こえるか報知する機能が実現する。
【００１６】
［実施形態の動作］
（部屋ＲＡ，ＲＢにおける音が暗騒音のみのときの動作）
まず、部屋ＲＡ，ＲＢにおける音が暗騒音のみであるときの報知システム１の動作について説明する。まず、図示せぬ電源より報知装置１０の各部に電力が供給されると、ＣＰＵ１０２は、ＲＯＭ１０３に記憶されている制御プログラムを実行する。また、マイクロホン２０Ａにおいては部屋ＲＡの音が収音されてオーディオ信号が出力され、マイクロホン２０Ｂにおいても部屋ＲＢの音が収音されてオーディオ信号が出力される。ここで、部屋ＲＡ、部屋ＲＢにおける音は暗騒音のみであるため、部屋ＲＡにおける暗騒音を表すオーディオ信号がマイクロホン２０Ａから出力され、部屋ＲＢにおける暗騒音を表すオーディオ信号がマイクロホン２０Ｂから出力される。
【００１７】
このオーディオ信号が信号入力部１０６に入力されると、信号入力部１０６は、入力されたオーディオ信号を解析し、マイクロホン２０Ａから供給されたオーディオ信号が表す音の音圧レベルＡと、マイクロホン２０Ｂから供給されたオーディオ信号が表す音の音圧レベルＢとを求める。そして、信号入力部１０６は、求めた音圧レベルＡを表す音圧データＤ１と、音圧レベルＢを表す音圧データＤ２とをＣＰＵ１０２へ供給する。
【００１８】
ＣＰＵ１０２は、音圧データが供給されると、部屋ＲＡから部屋ＲＢへ透過する透過音の音圧レベルＡ１と、部屋ＲＢから部屋ＲＡへ透過する透過音の音圧レベルＢ１とを求める。具体的には、ＣＰＵ１０２は、まず、記憶部１０５に記憶されているＤ値を読み出し、音圧データＤ１が表す音圧レベルからＤ値の値を減算することにより、部屋ＲＡから部屋ＲＢへ透過した透過音の音圧レベルＡ１を求め、次に、音圧データＤ２が表す音圧レベルからＤ値の値を減算することにより、部屋ＲＢから部屋ＲＡへ透過した透過音の音圧レベルＢ１を求める。
【００１９】
この後、ＣＰＵ１０２は、音圧レベルＢと音圧レベルＡ１とを比較する。ここで、音圧レベルＡ１が音圧レベルＢより小さい場合（部屋ＲＢの暗騒音の音圧レベルより部屋ＲＡから界壁Ｃを透過した透過音の音圧レベルのほうが小さい場合）、ＣＰＵ１０２は、信号出力部１０７を制御し、表示装置３０Ａの表示灯３１Ａのみを点灯させるための信号を信号出力部１０７から表示装置３０Ａへ出力させる。この信号が表示装置３０Ａに入力されると、表示装置３０Ａは入力された信号に従って青色の表示灯３１Ａのみを点灯させる。
また、ＣＰＵ１０２は、音圧レベルＡと音圧レベルＢ１とを比較する。ここで、音圧レベルＢ１が音圧レベルＡより小さい場合（部屋ＲＡの暗騒音の音圧レベルより部屋ＲＢから界壁Ｃを透過した透過音の音圧レベルのほうが小さい場合）、ＣＰＵ１０２は、信号出力部１０７を制御し、表示装置３０Ｂの表示灯３１Ｂのみを点灯させるための信号を信号出力部１０７から表示装置３０Ｂへ出力させる。この信号が表示装置３０Ｂに入力されると、表示装置３０Ｂは入力された信号に従って青色の表示灯３１Ｂのみを点灯させる。
【００２０】
青色の表示灯３１Ａは、部屋ＲＢの暗騒音の音圧レベルより部屋ＲＡから界壁Ｃを透過した透過音の音圧レベルのほうが小さい場合、即ち、部屋ＲＢに居る者に部屋ＲＡの音が聞こえない場合に点灯するため、部屋ＲＡに居る者は、自室の音が隣室の部屋ＲＢに聞こえていないことを知ることができる。また、青色の表示灯３１Ｂは、部屋ＲＡの暗騒音の音圧レベルより部屋ＲＢから界壁Ｃを透過した透過音の音圧レベルのほうが小さい場合、即ち、部屋ＲＡに居る者に部屋ＲＢの音が聞こえない場合に点灯するため、部屋ＲＢに居る者は、自室の音が隣室の部屋ＲＡに聞こえていないことを知ることができる。
【００２１】
（部屋ＲＡにおける会話の音圧レベルが変化したときの動作）
次に、部屋ＲＡ，ＲＢにおける暗騒音の音圧レベルが一定であり、部屋ＲＡにおける音の音圧レベルが変化したときの動作について説明する。まず、表示灯３１Ａ，３１Ｂが点灯している状態で部屋ＲＡに居る者が会話を行うと、この会話の音声がマイクロホン２０Ａにより収音され、収音された音を表すオーディオ信号が出力される。ここで、部屋ＲＢにおいては会話が行われていないため、マイクロホン２０Ｂにおいては、部屋ＲＢの暗騒音のみが収音され、収音された暗騒音を表すオーディオ信号が出力される。
【００２２】
各マイクロホンから出力されたオーディオ信号が信号入力部１０６に入力されると、信号入力部１０６は、マイクロホン２０Ａで収音された音の音圧レベルＡを表す音圧データＤ１と、マイクロホン２０Ｂで収音された音の音圧レベルＢを表す音圧データＤ２とをＣＰＵ１０２へ供給する。
【００２３】
ＣＰＵ１０２は、音圧データＤ１，Ｄ２が供給されると、部屋ＲＡから部屋ＲＢへ透過する透過音の音圧レベルＡ１を求めると共に、部屋ＲＢから部屋ＲＡへ透過する透過音の音圧レベルＢ１を求める。そして、ＣＰＵ１０２は、音圧レベルＢと音圧レベルＡ１とを比較する。ここで、ＣＰＵ１０２は、部屋ＲＡにおいて会話が行われたことにより部屋ＲＡにおける音の音圧レベルが大きくなり、これに伴って部屋ＲＡから部屋ＲＢへ透過した透過音の音圧レベルＡ１が、部屋ＲＢの暗騒音の音圧レベルＢ以上となった場合、音圧レベルＡ１が、音圧レベルＢ＋６［ｄＢ］未満であるか判定する。ここで、音圧レベルＡ１が、音圧レベルＢ＋６［ｄＢ］未満である場合、部屋ＲＡから部屋ＲＢへ透過した透過音は、部屋ＲＢに居る者に聞き取ることが可能である。よって、ＣＰＵ１０２は、自室内の音が隣室に居る者に聞こえていることを部屋ＲＡに居る者に知らせるため、信号出力部１０７を制御し、表示装置３０Ａの表示灯３２Ａのみを点灯させるための信号を信号出力部１０７から出力させる。この信号が表示装置３０Ａに入力されると、表示装置３０Ａは入力された信号に従って黄色の表示灯３２Ａのみを点灯させる。部屋ＲＡに居る者は、表示装置３０Ａにおいて点灯している表示灯が黄色の表示灯になったため、自室内の会話音声が隣の部屋ＲＢに居る者に聞こえていることを知ることができる。
【００２４】
この後、部屋ＲＡに居る者の会話の音声が大きくなると、この会話の音声がマイクロホン２０Ａにより収音され、収音された音を表すオーディオ信号が出力される。ここで、部屋ＲＢにおいては会話が行われていないため、マイクロホン２０Ｂにおいては、部屋ＲＢの暗騒音のみが収音され、収音された暗騒音を表すオーディオ信号が出力される。そして、各オーディオ信号が入力される信号入力部１０６においては、マイクロホン２０Ａで収音された音の音圧レベルＡを表す音圧データＤ１と、マイクロホン２０Ｂで収音された音の音圧レベルＢを表す音圧データＤ２とがＣＰＵ１０２へ出力される。
【００２５】
ＣＰＵ１０２は、音圧データＤ１，Ｄ２が供給されると、部屋ＲＡから部屋ＲＢへ透過する透過音の音圧レベルＡ１を求めると共に、部屋ＲＢから部屋ＲＡへ透過する透過音の音圧レベルＢ１を求める。そして、ＣＰＵ１０２は、音圧レベルＢと音圧レベルＡ１とを比較する。ここで、部屋ＲＡで行われている会話の音声が大きくなり、部屋ＲＡから部屋ＲＢへ透過した透過音の音圧レベルＡ１が、部屋ＲＢの暗騒音の音圧レベルＢより６［ｄＢ］以上大きくなっている場合、部屋ＲＢに居る者は、部屋ＲＡから部屋ＲＢへ透過した透過音をはっきりと聞き取ることでき、部屋ＲＡにおける会話の内容を把握することができる。よって、ＣＰＵ１０２は、自室内の音が隣室に居る者にはっきりと聞こえていることを部屋ＲＡに居る者に知らせるため、信号出力部１０７を制御し、表示装置３０Ａの表示灯３３Ａのみを点灯させるための信号を信号出力部１０７から出力させる。この信号が表示装置３０Ａに入力されると、表示装置３０Ａは入力された信号に従って赤色の表示灯３３Ａのみを点灯させる。部屋ＲＡに居る者は、表示装置３０Ａにおいて点灯している表示灯が赤色の表示灯になったため、自室内の会話音声が隣の部屋ＲＢに居る者にはっきりと聞こえていることを知ることができる。
【００２６】
（部屋ＲＡにおける会話音声の大きさを抑えたときの動作）
部屋ＲＡに居る者が、赤色の表示灯が点灯したことにより、自室内の会話音声が部屋ＲＢに居る者にはっきりと聞こえていることを知り、会話の音声を小さくすると、この会話の音声がマイクロホン２０Ａにより収音されてオーディオ信号が出力され、信号入力部１０６においては、マイクロホン２０Ａで収音された音の音圧レベルＡを表す音圧データＤ１と、マイクロホン２０Ｂで収音された音の音圧レベルＢを表す音圧データＤ２とがＣＰＵ１０２へ出力される。
【００２７】
ＣＰＵ１０２は、音圧データＤ１，Ｄ２が供給されると、部屋ＲＡから部屋ＲＢへ透過する透過音の音圧レベルＡ１を求めると共に、部屋ＲＢから部屋ＲＡへ透過する透過音の音圧レベルＢ１を求める。そして、ＣＰＵ１０２は、音圧レベルＢと音圧レベルＡ１とを比較する。ここで、部屋ＲＡで行われている会話の音声が小さくなり、部屋ＲＡから部屋ＲＢへ透過した透過音の音圧レベルＡ１が、部屋ＲＢの暗騒音の音圧レベルＢ未満となっている場合、部屋ＲＢに居る者は、部屋ＲＡから部屋ＲＢへ透過した透過音を聞き取ることができない。よって、ＣＰＵ１０２は、自室内の音が隣室に居る者に聞こえていないことを部屋ＲＡに居る者に知らせるため、信号出力部１０７を制御し、表示装置３０Ａの表示灯３１Ａのみを点灯させるための信号を信号出力部１０７から出力させる。この信号が表示装置３０Ａに入力されると、表示装置３０Ａは入力された信号に従って青色の表示灯３１Ａのみを点灯させる。部屋ＲＡに居る者は、表示装置３０Ａにおいて点灯している表示灯が青色の表示灯になったため、自室内の会話音声が隣の部屋ＲＢに居る者に聞こえていないことを知ることができる。
【００２８】
（隣室の暗騒音の音圧レベルが大きくなった時の動作）
次に、部屋ＲＡにおいて黄色の表示灯が点灯している状態において、部屋ＲＢの暗騒音の音圧レベルが大きくなった場合の動作について説明する。
まず、部屋ＲＡにおいては、部屋ＲＡに居る者により会話が行われており、この会話の音声がマイクロホン２０Ａにより収音され、収音された音を表すオーディオ信号がマイクロホン２０Ａから出力される。ここで、部屋ＲＢにおいて、例えば、空調設備を動作させたことにより、暗騒音が大きくなると、マイクロホン２０Ｂにより部屋ＲＢの大きくなった暗騒音が収音され、収音された暗騒音を表すオーディオ信号がマイクロホン２０Ｂから出力される。そして、各オーディオ信号が入力される信号入力部１０６においては、マイクロホン２０Ａで収音された音の音圧レベルＡを表す音圧データＤ１と、マイクロホン２０Ｂで収音された音の音圧レベルＢを表す音圧データＤ２とがＣＰＵ１０２へ出力される。
【００２９】
ＣＰＵ１０２は、音圧データＤ１，Ｄ２が供給されると、部屋ＲＡから部屋ＲＢへ透過する透過音の音圧レベルＡ１と、部屋ＲＢから部屋ＲＡへ透過する透過音の音圧レベルＢ１を求める。そして、ＣＰＵ１０２は、音圧レベルＢと音圧レベルＡ１とを比較する。部屋ＲＡで行われている会話の音声の音圧レベルは変化していないが、部屋ＲＢにおける暗騒音の音圧レベルは大きくなっており、部屋ＲＡから部屋ＲＢへ透過した透過音の音圧レベルＡ１が、部屋ＲＢの暗騒音の音圧レベルＢ未満となっている場合、部屋ＲＢに居る者は、透過音の音圧レベルより暗騒音の音圧レベルの方が大きいため、部屋ＲＡから部屋ＲＢへ透過した透過音を聞き取ることができない。よって、ＣＰＵ１０２は、自室内の音が隣室に居る者に聞こえていないことを部屋ＲＡに居る者に知らせるため、信号出力部１０７を制御し、表示装置３０Ａの表示灯３１Ａのみを点灯させるための信号を信号出力部１０７から出力させる。この信号が表示装置３０Ａに入力されると、表示装置３０Ａは入力された信号に従って青色の表示灯３１Ａのみを点灯させる。部屋ＲＡに居る者は、表示装置３０Ａにおいて点灯している表示灯が青色の表示灯になったため、自室内の会話音声が隣の部屋ＲＢに居る者に聞こえていないことを知ることができる。
【００３０】
（隣室の暗騒音のレベルが小さくなった時の動作）
次に、部屋ＲＡにおいて黄色の表示灯が点灯している状態において、部屋ＲＢの暗騒音の音圧レベルが小さくなった場合の動作について説明する。
まず、部屋ＲＡにおいては、部屋ＲＡに居る者により会話が行われており、この会話の音声がマイクロホン２０Ａにより収音され、収音された音を表すオーディオ信号がマイクロホン２０Ａから出力される。ここで、部屋ＲＢにおいて、例えば、空調設備を停止させたり電気機器を停止させたりしたことにより暗騒音が小さくなる。この小さくなった暗騒音は、マイクロホン２０Ｂにより収音され、収音された暗騒音を表すオーディオ信号がマイクロホン２０Ｂから出力される。そして、各オーディオ信号が入力される信号入力部１０６においては、マイクロホン２０Ａで収音された音の音圧レベルＡを表す音圧データＤ１と、マイクロホン２０Ｂで収音された音の音圧レベルＢを表す音圧データＤ２とがＣＰＵ１０２へ出力される。
【００３１】
ＣＰＵ１０２は、音圧データＤ１，Ｄ２が供給されると、部屋ＲＡから部屋ＲＢへ透過する透過音の音圧レベルＡ１と、部屋ＲＢから部屋ＲＡへ透過する透過音の音圧レベルＢ１を求める。そして、ＣＰＵ１０２は、音圧レベルＢと音圧レベルＡ１とを比較する。ここで、部屋ＲＡで行われている会話の音声の音圧レベルは変化していないが、部屋ＲＢにおける暗騒音の音圧レベルは小さくなっている。部屋ＲＡから部屋ＲＢへ透過した透過音の音圧レベルＡ１が、相対的に部屋ＲＢの暗騒音の音圧レベルＢ＋６［ｄＢ］以上となっている場合、部屋ＲＢに居る者は、部屋ＲＡから部屋ＲＢへ透過した透過音をはっきり聞き取ることができる。よって、ＣＰＵ１０２は、自室内の音が隣室に居る者にはっきり聞こえていることを部屋ＲＡに居る者に知らせるため、信号出力部１０７を制御し、表示装置３０Ａの表示灯３３Ａのみを点灯させるための信号を信号出力部１０７から出力させる。この信号が表示装置３０Ａに入力されると、表示装置３０Ａは入力された信号に従って赤色の表示灯３３Ａのみを点灯させる。部屋ＲＡに居る者は、表示装置３０Ａにおいて点灯している表示灯が赤色の表示灯になったため、自室内の会話音声が隣の部屋ＲＢに居る者にはっきり聞こえていることを知ることができる。
【００３２】
以上説明したように、本実施形態によれば、隣室での透過音の聞こえ方、即ち、隣室への透過音と該隣室の暗騒音との相対関係に対応して隣室での音の聞こえ方が報知される。これにより、透過音の発生源の部屋に居る者は、隣室での音の聞こえ方を知ることができ、隣室に迷惑をかけないように、または、隣室に会話の内容を知られないように、自室内の音を小さくすることができる。
【００３３】
［変形例］
以上、本発明の実施形態について説明したが、上述した実施形態は本発明に係る実施形態の一例であり、本発明は上述した実施形態に限定されることなく、他の様々な形態で実施可能である。例えば、上述の実施形態を以下のように変形して本発明を実施してもよい。
【００３４】
上述した実施形態においては、マイクロホン２０Ａ，２０Ｂは、ダイナミック型のマイクロホンやコンデンサ型のマイクロホン、光により音を検出する光マイクロホンであってもよい。
【００３５】
上述した実施形態においては、光を発するのであれば、表示装置３０Ａ，３０Ｂの表示灯として電球や蛍光管、ＬＥＤ（Light Emitting Diode）などを使用してもよい。また、透過音の聞こえ方を報知する場合、例えば、液晶ディスプレイ、ＣＲＴ（Cathode Ray Tube）、ＥＬ（electro-luminescence）ディスプレイなどのディスプレイ装置において、文字や図形を用いて聞こえ方を報知してもよい。また、視覚に訴える報知だけでなく、例えば、音の変化や振動の変化により透過音の聞こえ方を報知するようにしてもよい。また、表示装置３０Ａ，３０Ｂにおける表示灯の点灯色や表示灯数、表示態様は、上述した実施形態に限定されるものではない。各表示灯は点滅させてもよいし、各表示灯の点滅する態様が異なっていてもよい。何れにしろ、透過音の聞こえ方を報知することができれば、どのような発光態様であってもよい。
【００３６】
上述した実施形態においては、報知装置１０にキーボードなどの操作子を設け、この操作子を操作して記憶部１０５に記憶されているＤ値を変更できるようにしてもよい。
また、上述した実施形態においては、暗騒音の音圧レベル＋６［ｄＢ］以上で、透過音がはっきりと聞き取れると判断しているが、この判断に使用されている＋６［ｄＢ］の値を記憶部１０５に記憶させておき、操作子によりこの値を変更できるようにしてもよい。
この場合、ユーザは、記憶されている値を、部屋の使用時刻（昼間、夜間）や部屋の使用目的（雑談、重要な会議）に応じて変更させることができる。
また、ユーザは、記憶されている値を、部屋を使用する人の嗜好（隣室からの騒音に敏感である、会話の秘密を重視する）に応じて変更させることもできる。
そして、例えば、暗騒音の音圧レベル＋５［ｄＢ］以上であると、透過音がはっきりと聞き取れると判断してもよいし、暗騒音の音圧レベル＋７［ｄＢ］以上であると、透過音がはっきりと聞き取れると判断するようにしてもよい。また、このように、判断基準を変更できる態様においては、透過音を不快であると感じた側が操作子を操作して、上述した判断に使用される値（記憶部１０５に記憶されている値）を変更できるようにしてもよい。
【００３７】
上述した実施形態においては、マイクロホン２０Ａ（２０Ｂ）と表示装置３０Ａ（３０Ｂ）とは別体となっているが、図３に示したように、マイクロホンと表示灯とを一体にした装置を用いて音の収音と報知とを行うようにしてもよい。また、図３に示したように音の音圧レベルを表示するレベルメータＬＥＶを設け、自室内の音の音圧レベルまたは他室への透過音の音圧レベルをレベルメータＬＥＶで表すようにしてもよい。また、図３に示した装置に操作子Ｋを設け、上述したように操作子Ｋにより記憶部１０５に記憶されているＤ値や判断基準に係る値を変更するようにしてもよい。
【００３８】
上述した実施形態においては、各部屋に透過する透過音をマスキングする構成を設けるようにしてもよい。以下、この構成を備えた報知システムについて説明する。
図４は、各部屋への透過音をマスキングする構成を備えた報知システム１Ａの全体構成を示した図であり、図５は、この報知システム１Ａに係る報知装置１０Ａのハードウェア構成を示したブロック図である。図４，図５に示したように、この変形例においては、部屋ＲＡにスピーカＳＰＡ、部屋ＲＢにスピーカＳＰＢが設けられている点、報知装置１０Ａがマスキング部１０８を備えている点が上述した実施形態と異なる。なお、これ以外の構成については上述した実施形態と同じであるため、図４，図５において上述した実施形態と同じ構成要素については図１，図２と同じ符号を付し、その説明を省略する。
【００３９】
マスキング部１０８は、例えば、ホワイトノイズなどの騒音を表すマスキング信号を生成するものであり、スピーカＳＰＡおよびスピーカＳＰＢが接続されている。マスキング部１０８は、スピーカＳＰＡへ出力する所定の音圧レベルのマスキング信号とスピーカＳＰＢへ出力する所定の音圧レベルのマスキング信号を別々に生成し、生成したマスキング信号をスピーカＳＰＡ，ＳＰＢへ出力する。
【００４０】
そして、この報知システム１Ａにおいては、例えば、部屋ＲＡから部屋ＲＢへの透過音の音圧レベルが、部屋ＲＢの暗騒音の音圧レベルより大きい場合、ＣＰＵ１０２によりマスキング部１０８が制御され、マスキング信号がスピーカＳＰＢへ出力される。マスキング信号が供給されたスピーカＳＰＢは、供給されたマスキング信号が表すホワイトノイズを出力する。この出力されるホワイトノイズにより、部屋ＲＡから部屋ＲＢへの透過音はマスキングされるので、部屋ＲＢに居る者は、部屋ＲＡからの透過音が聞こえなくなり、透過音による不快感を感じることがない。
【００４１】
なお、上述した報知システム１Ａにおいては、部屋ＲＡから部屋ＲＢへの透過音の音圧レベルと部屋ＲＢにおける暗騒音の音圧レベルとの差に応じて、マスキング信号が表すホワイトノイズの音圧レベルを制御し、透過音の音圧レベルが暗騒音の音圧レベルより大きくなるにつれ、部屋ＲＢで出力されるホワイトノイズの音圧レベルを大きくするようにしてもよい。もちろん、部屋ＲＢから部屋ＲＡへの透過音の音圧レベルと部屋ＲＡにおける暗騒音の音圧レベルとの差に応じて、マスキング信号が表すホワイトノイズの音圧レベルを制御し、透過音の音圧レベルが暗騒音の音圧レベルより大きくなるにつれ、部屋ＲＡで出力されるホワイトノイズの音圧レベルを大きくするようにしてもよい。
【００４２】
上述した実施形態における部屋がオフィスにおける会議室であり、各部屋において構内放送を行うためのスピーカが設置されている場合、透過音の音圧レベルが大きくなるにつれてスピーカから出力される音の音量が大きくなるようにしてもよい。また、各部屋にスピーカを設け、このスピーカからバックグラウンドミュージックを流す場合、透過音の音圧レベルが大きくなるにつれてスピーカから出力される音の音量を大きくするようにしてもよい。
【００４３】
上述した実施形態における各表示装置を一つの部屋に集め、各部屋における透過音の聞こえ方を監視するようにしてもよい。また、各表示装置を一つの部屋に集めて各部屋における透過音の聞こえ方を監視する態様においては、各部屋における音の発生を知ることができるため、報知システム１は、音のセンサとして使用することができ、施設の監視に使用することもできる。
【００４４】
上述した実施形態においては、部屋の数は２つとなっているが、部屋の数は２つに限定されるものではなく３つ以上であってもよい。そして、部屋が３つ以上であり、隣接する部屋が２つ以上である場合、隣接する各々の部屋への透過音と、隣接する各部屋の暗騒音の音圧レベルを求め、透過音の聞こえ方を判断して表示灯を点灯させるようにしてもよい。また、ある部屋に隣接する部屋が２つ以上ある場合、界壁の遮音性能は各々異なっていてもよい。また、上述した実施形態においては、隣り合う部屋へ透過する透過音の聞こえ方を判断しているが、上または下にある部屋に透過する透過音についても、透過音の聞こえ方を判断して報知するようにしてもよい。この場合、床の遮音性能を表すＬ値を用いて透過音の音圧レベルを求めるようにしてもよい。
また、上述した実施形態においては、界壁の遮音性能を表すＤ値を用いて透過音の音圧レベルを求めているが、Ｄ値以外にも、隣室の音響条件を表す値を使用して透過音の音圧レベルを求めるようにしてもよい。即ち、複数の周波数帯域（例えば、６３［Ｈｚ］〜４［ＫＨｚ］までの１／１オクターブバンド毎）における界壁の遮音性能の実測値または計算値でもよいし、他の遮音等級（ＳＴＣ曲線）でもよい。
上述した実施形態においては、部屋ＲＡから部屋ＲＢに透過した透過音の聞こえ方を部屋ＲＡで報知しているが、部屋ＲＡから部屋ＲＢに透過した透過音の聞こえ方を部屋ＲＡと共に部屋ＲＢで報知するようにしてもよい。
また、各部屋は隣合わせでなくてもよく、部屋ＲＡと部屋ＲＢは透過音が伝播する経路に配置された関係でもよい。即ち、上述した実施形態においては、部屋ＲＡと部屋ＲＢとの間に他の空間（例えば、廊下、広間、応接室、休憩所、階段室などの空間）が一つ以上介在して部屋ＲＡと部屋ＲＢとが配置された関係でも本発明は適用することができる。
【図面の簡単な説明】
【００４５】
【図１】本発明の一実施形態に係る報知システムの全体構成を示した図である。
【図２】同実施形態に係る報知装置のハードウェア構成を示したブロック図である。
【図３】マイクロホンおよび表示灯が一体となった装置の外観図である。
【図４】本発明の変形例に係る報知システムの全体構成を示した図である。
【図５】本発明の変形例に係る報知装置のハードウェア構成を示したブロック図である。
【符号の説明】
【００４６】
１・・・報知システム、１０・・・報知装置、２０Ａ，２０Ｂ・・・マイクロホン、３０Ａ，３０Ｂ・・・表示装置、３１Ａ〜３３Ａ，３１Ｂ〜３３Ｂ・・・表示灯、１０１・・・バス、１０２・・・ＣＰＵ、１０３・・・ＲＯＭ、１０４・・・ＲＡＭ、１０５・・・記憶部、１０６・・・信号入力部、１０７・・・信号出力部、ＲＡ，ＲＢ・・・部屋
【図１】
2008122852.tif 000003
【図２】
2008122852.tif 000004
【図３】
2008122852.tif 000005
【図４】
2008122852.tif 000006
【図５】
2008122852.tif 000007